(57)【要約】【課題】作業現場等で使用場所を移動する場合に、掴み易く、持ち運び易い伸縮式足場板を提供する。【解決手段】伸縮自在に組み合わされた一対の足場板本体２，３からなり、各足場板本体２，３は足場板幅方向に一定間隔をおいて互いに平行に配置された複数の足場板部材４，５，６，７，８を有し、一方の足場板本体２の足場板部材４，５，５，５，５が他方の足場板本体３の足場板部材６，７，７，７，８間に足場板長さ方向に相対移動自在に配置されてなる伸縮式足場板において、両足場板本体２，３の全ての足場板部材４，５，６，７，８のうち最も外側にある二つの足場板部材４，８は、夫々リップ付き溝型材からなるもので、その溝型材の開口部Ｏ側を外に向けて配置される。【選択図】図２
2007247292.tif 000002
【特許請求の範囲】
【請求項１】
伸縮自在に組み合わされた一対の足場板本体からなり、各足場板本体は足場板幅方向に一定間隔をおいて互いに平行に配置された複数の足場板部材を有し、一方の足場板本体の足場板部材が他方の足場板本体の足場板部材間に足場板長さ方向に相対移動自在に配置されてなる伸縮式足場板において、両足場板本体の全ての足場板部材のうち最も外側にある二つの足場板部材は、夫々リップ付き溝型材からなるもので、その溝型材の開口部側を外に向けて配置されることを特徴とする伸縮式足場板。
【請求項２】
前記リップ付き溝型材からなる足場板部材にはその溝型材の底壁部に、内向きに突出する補強用凸条部が足場板部材長さ方向全長に亘って形成されていることを特徴とする請求項１に記載の伸縮式足場板。
【請求項３】
両足場板本体の足場板長さ方向両端部には、夫々伸縮操作用のハンドルが設けられている請求項１又は２に記載の伸縮式足場板。
【請求項４】
各ハンドルは、足場板本体を構成する足場板部材の足場板幅方向両端側の足場板部材の先端部間に横架された棒状体からなり、この両端側の足場板部材間の中間の足場板部材の夫々先端部が切除され、この先端部が切除された足場板部材とその両端側の足場板部材とがバンドプレートによって相互に連結されている請求項３に記載の伸縮式足場板。
【発明の詳細な説明】
【技術分野】
【０００１】
本発明は、建築現場その他の作業場所での足場に使用される伸縮式足場板に関するもので、特に、一対の足場板本体からなり、各足場板本体は足場板幅方向に一定間隔をおいて互いに平行に配置された複数の足場板部材を有し、一方の足場板本体の足場板部材が他方の足場板本体の足場板部材間に足場板長さ方向に相対移動自在に配置されてなる伸縮式足場板に関する。
【背景技術】
【０００２】
従来の伸縮式足場板として、例えば下記の特許文献１に記載されたものがある。この伸縮式足場板は、伸縮自在に組み合わされた一対の足場板本体からなるもので、各足場板本体は、足場板幅方向に一定間隔をおいて互いに平行に配置された角筒状型材からなる複数の足場板部材を有し、一方の足場板本体の足場板部材が他方の足場板本体の足場板部材間に足場板長さ方向に相対移動自在に配置されていて、双方の足場板本体の伸縮によって足場板の長さ調節ができるようになっている。
【特許文献１】特開平８−２４６６６３号公報
【発明の開示】
【発明が解決しようとする課題】
【０００３】
この種の伸縮式足場板は、重量が一般に１０Kg前後であって、作業現場等で使用場所を移動する際には、この足場板を収縮状態又は伸張状態のままで、作業者が足場板の長さ方向中央部側の幅方向端部を手で掴んで移動させているが、上記従来の伸縮式足場板では、各足場板部材が角筒状型材からなるため、足場板の長さ方向中央部側の幅方向両端部を掴む時に足場板部材に手指を掛ける部分が無く、非常に掴みにくく、持ち運びにくいという問題があった。
【０００４】
本発明は、上記のような問題点に鑑み、作業現場等で使用場所を移動する場合に、掴み易く、持ち運び易い伸縮式足場板を提供することを目的とする。
【課題を解決するための手段】
【０００５】
上記課題を解決するための手段を、後述する実施形態の参照符号を付して説明すると、請求項１に係る発明は、伸縮自在に組み合わされた一対の足場板本体２，３からなり、各足場板本体２，３は足場板幅方向に一定間隔をおいて互いに平行に配置された複数の足場板部材４，５，６，７，８を有し、一方の足場板本体２の足場板部材４，５，５，５，５が他方の足場板本体３の足場板部材６，７，７，７，８間に足場板長さ方向に相対移動自在に配置されてなる伸縮式足場板において、両足場板本体２，３の全ての足場板部材４，５，６，７，８のうち最も外側にある二つの足場板部材４，８は、夫々リップ付き溝型材からなるもので、その溝型材の開口部Ｏ側を外に向けて配置されることを特徴とする。
【０００６】
請求項２は、請求項１に記載の伸縮式足場板において、前記リップ付き溝型材からなる足場板部材４，８にはその溝型材の底壁部２２に、内向きに突出する補強用凸条部２４が足場板部材長さ方向全長に亘って形成されていることを特徴とする。
【０００７】
請求項３は、請求項１又は２に記載の伸縮式足場板において、両足場板本体２，３の足場板長さ方向両端部には、夫々伸縮操作用のハンドル２５，２６が設けられていることを特徴とする。
【０００８】
請求項４は、請求項３に記載の伸縮式足場板において、各ハンドル２５，２６は、各足場板本体２，３を構成する足場板部材４，５，５，５，５（６，７，７，７，８）の足場板幅方向両端側の足場板部材４，５（６，８）の先端部間に横架された棒状体からなり、この両端側の足場板部材４，５（６，８）間の中間の足場板部材５，５，５（７，７，７）の夫々先端部が切除され、この先端部が切除された足場板部材５，５，５（７，７，７）とその両端側の足場板部材４，５（６，８）とがバンドプレート１０によって相互に連結されていることを特徴とする。
【発明の効果】
【０００９】
上記解決手段による発明の効果を、後述する実施形態の参照符号を付して説明すると、請求項１に係る発明の伸縮式足場板１は、両足場板本体２，３の全ての足場板部材４，５，６，７，８のうち最外側にある二つの足場板部材４，８が夫々リップ付き溝型材からなるもので、その溝型材の開口部Ｏ側を外に向けて配置されるから、この伸縮式足場板１を作業現場等において所要の使用場所へ移動させる時は、足場板１の上下面が水平面に対し略々垂直となる状態で、この足場板１の長さ方向中央部側において最も上側に位置するリップ付き溝型材からなる足場板部材８（又は４）のリップ部２３を掴むことにより、このリップ部２３が有効な手掛り部となって、足場板１を所要の場所まで簡単容易に持ち運ぶことができる。
【００１０】
請求項２に係る発明によれば、前記リップ付き溝型材からなる足場板部材４，８には、その溝型材の底壁部２２に内向きに突出する補強用凸条部２４が足場板部材長さ方向全長に亘って形成されているから、この補強用凸条部２４によって足場板部材４，８に十分な剛性が確保され、従って伸縮式足場板１の持ち運びにあたり、全足場板部材４，５，６，７，８のうち最外側にある二つの足場板部材４，８を頻繁に掴むようなことがあっても、この足場板部材４，８が変形するようなことがなく、使用寿命を延ばすことができる。
【００１１】
請求項３に係る発明によれば、両足場板本体２，３の足場板長さ方向両端部に伸縮操作用のハンドル２５，２６を設けたことにより、足場板本体２，３の伸縮操作を簡単容易に行なうことができる。
【００１２】
請求項４に係る発明によれば、ハンドル２５，２６が棒状体であるため、掴み易く、足場板本体２，３の伸縮操作が一層容易に行なえると共に、この棒状体を足場板本体２，３の足場板長さ方向両端部に嵩張ることなく的確に取り付けることができる。
【発明を実施するための最良の形態】
【００１３】
以下に本発明の好適な実施形態を図面に基づいて説明すると、図１の(a) は本発明に係る伸縮式足場板１の全体概略斜視図、(b) は(a) の矢印Ｘにて示す部分の拡大図であり、図２は図１の(b) のＹ−Ｙ線拡大断面図である。この伸縮式足場板１は、足場板長さ方向に伸縮自在に組み合わされた一対の足場板本体２，３からなり、両足場板本体２，３は、図１の(b) 及び図２から分かるように、足場板幅方向に一定間隔をおいて互いに平行に配置された、夫々５本ずつの合計１０本の足場板部材４，５，６，７，８からなるもので、一方の足場板本体２の足場板部材４，５，５，５，５が他方の足場板本体３の足場板部材６，７，７，７，８相互間に足場板長さ方向に相対移動自在に配置されている。
【００１４】
一方の足場板本体２の足場板部材４，５，５，５，５の足場板長さ方向一端部及び他方の足場板本体３の足場板部材６，７，７，７，８の足場板長さ方向一端部は、夫々、バンドプレート９，１０によって相互に連結され、また一方の足場板本体２の足場板部材４，５，５，５，５の足場板長さ方向他端部及び他方の足場板本体３の足場板部材６，７，７，７，８の足場板長さ方向他端部は、夫々、全ての足場板部材４，５，６，７，８に亘るように外嵌されたバンドプレート１１，１２によって相互に連結されている。
【００１５】
図２は一方の足場板本体２の足場板部材４，５，５，５，５の他端部側が一方のバンドプレート１１によって相互連結された部分の断面構造を示したもので、この一方のバンドプレート１１は、一方の足場板本体２の足場板部材４，５，５，５，５の夫々他端部にビス１３止め（あるいはリベット止め）され、他方のバンドプレート１２は、図示は省略するが、他方の足場板本体３の足場板部材６，７，７，７，８の夫々他端部にビス１３止め（あるいはリベット止め）され、従って両足場板本体２，３は足場板長さ方向に相対移動自在とされ、それによって足場板８は長さ方向に伸縮自在に構成されている。
【００１６】
また、図１及び図２に示すように、両足場板本体２，３の足場板長さ方向両端部には、夫々棒状体からなる伸縮操作用ハンドル２５，２６が設けられている。即ち、図１の(b)
は足場板本体３の一端部に設けられたハンドル２６を示しており、このハンドル２６は、足場板本体３を構成する足場板部材６，７，７，７，８の足場板幅方向両端部の足場板部材６，８の先端部間にブラケット２７，２７を介して横架されている。このように足場板本体３の足場板幅方向両端部の足場板部材６，８の先端部間にハンドル２６が横架されるため、その中間の足場板部材７，７，７の夫々先端部が切除され、しかしてこれら先端部が切除された足場板部材７，７，７とその両端側の足場板部材６，８とがバンドプレート１０によって相互に連結されている。足場板本体２の一端部に設けられたハンドル２５の取付構造も上記ハンドル２６と同様である。
【００１７】
上記のように両足場板本体２，３の足場板長さ方向両端部に伸縮操作用のハンドル２５，２６を設けたことにより、足場板本体２，３の伸縮操作を簡単容易に行なうことができる。またハンドル２５，２６は棒状体であるため、掴み易く、足場板本体２，３の伸縮操作が一層容易に行なえる。また、この棒状体からなるハンドル２５，２６は、図１の(b)
に示すように、足場板本体３を構成する足場板部材４，５，５，５，５（６，７，７，７，８）の足場板幅方向両端側の足場板部材４，５（６，８）間に横架されるから、足場板本体２，３の足場板長さ方向両端部に嵩張ることがなく的確に取り付けできる。
【００１８】
上記一方の足場板本体２における足場板幅方向一端側の足場板部材４と、この足場板部材６に対向する、他方の足場板本体３の足場板幅方向一端側の足場板部材６との間には、両方の足場板本体２，３を所要の伸縮位置にロックするためのロック装置Ｒが介装されている。尚、この伸縮式足場板１は、その上面側と下面側とは同じ形状であって、上下何れの側を上向きにして使用することができる。
【００１９】
上記一対の足場板本体２，３を構成する全ての足場板部材４，５，６，７，８は、夫々アルミ押出型材からなり、これら全ての足場板部材４，５，６，７，８のうち足場板幅方向に関して最も外側にある二つの足場板部材４，８は、図２に示すように、夫々リップ付き溝型材からなるもので、その溝型材の開口部Ｏ側を外に向けて配置することによって、このリップ付き溝型材からなる足場板部材４，８のリップ部２３を手掛り部として利用するようにしたものである（図５参照）。
【００２０】
即ち、全足場板部材４，５，６，７，８のうち最も外側にある二つの足場板部材４，８は、共に同じ断面形状のリップ付き溝型材からなるもので、図３の(a) 及び(b) に示す。この足場板部材４，８は、対向する側壁部２１，２１と両側壁部２１，２１をつなぐ底壁部２２と、各側壁部２１の先端部から内向きに略Ｌ字状に突設されたリップ部２３とによって溝形に形成されると共に、底壁部２２にはその幅方向中央部側に補強用凸条部２４が形成されている。
【００２１】
また、図２から分かるように、一方の足場板本体２の一部を構成する足場板部材５と、他方の足場板本体３の一部を構成する足場板部材７とは同じ断面形状のアルミ押出型材、即ち断面が縦長矩形状の角筒状型材によって形成されたもので、この足場板部材５，７の拡大断面形状を図５に示す。
【００２２】
図４の(a) は、一方の足場板本体２における足場板幅方向一端側の足場板部材４と対面する他方の足場板本体３の足場板幅方向一端側の足場板部材６を示す斜視図、(b) はその断面図である。この足場板部材６は、両側一対の筒状部６ａ，６ａと両筒状部６ａ，６ａをつなぐ連結壁部６ｂとからなる。
【００２３】
上記のように構成される伸縮式足場板１を作業現場等において所要の使用場所へ移動させる時は、図５に示すように、足場板１の上下面が水平面に対し垂直となる状態で、この足場板１の長さ方向中央部側において最も上側に位置するリップ付き溝型材からなる足場板部材８（又は４）のリップ部２３を掴むことにより、このリップ部２３が有効な手掛り部となって、足場板１を所定の場所まで簡単容易に持ち運ぶことができる。この場合に、足場板１は、図１の(a) に示すような伸張状態のままでもよいし、完全に収縮した状態でもよい。
【００２４】
尚、図５では、最も上側に位置する足場板部材８のリップ部２３の裏側に人差指１本を当てがってその人差指と親指で足場板部材８を把持しているように見えるが、実際には、この足場板部材８のリップ部２３の裏側に人差指、中指、薬指及び小指の４本の指を差し込むと共に、親指を側壁部２１の外側面に当て付けた状態で、足場板部材８を掴むようになる。
【図面の簡単な説明】
【００２５】
【図１】(a) は本発明に係る伸縮式足場板の全体概略斜視図、(b) は(a) の矢印Ｘにて示す部分の拡大図である。
【図２】図１の(b) のＹ−Ｙ線拡大断面図である。
【図３】両足場板本体を構成する全足場板部材のうち最も外側にある足場板部材を示す斜視図、(b) はその断面図である。
【図４】(a) は、一方の足場板本体における足場板幅方向一端側の足場板部材と対面する他方の足場板本体の足場板幅方向一端側の足場板部材を示す斜視図、(b) はその断面図である。
【図５】この伸縮式足場板を持ち運びする時の足場板部材の掴み状態を示す断面図である。
【符号の説明】
【００２６】
１            伸縮式足場板
２，３        足場板本体
４            足場板部材（最も外側の足場板部材）
５            足場板部材
６            足場板部材
７            足場板部材
８            足場板部材（最も外側の足場板部材）
２３          リップ付き溝型材からなる足場板部材のリップ部
２５，２６    伸縮操作用ハンドル
【図１】
2007247292.tif 000003
【図２】
2007247292.tif 000004
【図３】
2007247292.tif 000005
【図４】
2007247292.tif 000006
【図５】
2007247292.tif 000007